(57)【要約】【課題】低周波駆動の休止期間に液晶材料に印加される電圧が時間とともに変化する場合であっても、フリッカの発生を抑制する表示装置を提供する。【解決手段】β値（Ａ−Ｂ）が正の場合には、駆動期間において瞬間的な輝度低下が発生し、負の場合には瞬間的な輝度上昇が発生する。画素形成部を構成する配向膜の時定数と液晶材料の時定数とのバランスにより休止期間において輝度が上昇している場合には、β値（Ａ−Ｂ）が負になるように、自画素の寄生容量と隣接画素の寄生容量を調整する。これにより、駆動期間に瞬間的な輝度低下を生じさせて、休止期間の輝度上昇を打ち消す。【選択図】図１７
2019184725.tif 000002
【特許請求の範囲】
【請求項１】
外部から入力された画像データに基づいて画像を表示する駆動期間と、前記駆動期間に書き込まれた前記画像データに基づいて前記画像を表示する休止期間とを所定の周波数で交互に繰り返すことにより休止駆動を行う液晶表示装置であって、
複数の画素形成部を含む表示部と、
前記複数の画素形成部を駆動する駆動部と、
外部から入力される前記画像データに基づいて前記駆動部を制御する表示制御部とを備え、
前記画素形成部は、液晶材料と、前記液晶材料を両側から挟むように形成され、前記液晶材料に含まれる液晶分子の配向方向を制御する配向膜とを含み、
前記表示制御部は、前記休止期間において生じる前記複数の画素形成部に表示される前記画像の輝度変化を打ち消すように、前記駆動期間における前記画像の輝度を変化させる、表示装置。
【請求項２】
前記休止期間における前記画像の輝度変化は、前記液晶材料の時定数と前記配向膜の時定数との大小関係によって決まる、請求項１に記載の表示装置。
【請求項３】
前記駆動期間における輝度変化は、次式（Ａ）によって表されるβ値（Ａ−Ｂ）によって決まり、前記β値（Ａ−Ｂ）が正の値であるときには前記駆動期間における輝度は瞬間的に低下するように変化し、前記β値（Ａ−Ｂ）が負の値であるときには前記駆動期間における輝度は瞬間的に上昇するように変化する、請求項２に記載の表示装置。
β（Ａ−Ｂ）＝｛Ｃｓｄ（Ａ）−Ｃｓｄ（Ｂ）｝／Ｃｐｉ  …（Ａ）
ここで、Ｃｐｉ：画素電極と共通電極とによって構成される液晶容量
Ｃｓｄ（Ａ）：自画素のデータ信号線とドレイン電極とによって構成される寄生容量
Ｃｓｄ（Ｂ）：隣接する画素のデータ信号線と自画素のドレイン電極とによって構成される寄生容量
【請求項４】
前記配向膜の時定数が前記液晶材料の時定数よりも小さい場合には、前記休止期間における輝度は上昇する、請求項３に記載の表示装置。
【請求項５】
前記配向膜の時定数が前記液晶材料の時定数よりも大きい場合には、前記休止期間における輝度は低下する、請求項３に記載の表示装置。
【請求項６】
前記休止期間において前記輝度が上昇する場合には、前記β値（Ａ−Ｂ）を正の値にするために、自画素の寄生容量Ｃｓｄ（Ａ）を隣接画素の寄生容量Ｃｓｄ（Ｂ）よりも大きくする、請求項４に記載の表示装置。
【請求項７】
前記休止期間において前記輝度が低下する場合には、前記β値（Ａ−Ｂ）を負の値にするために、自画素の寄生容量Ｃｓｄ（Ａ）を隣接画素の寄生容量Ｃｓｄ（Ｂ）よりも小さくする、請求項５に記載の表示装置。
【請求項８】
前記駆動期間における輝度変化率は、前記β値（Ａ−Ｂ）に負の定数を乗算することによって表され、前記定数は前記画素形成部の構造によって異なる値になる、請求項４に記載の表示装置。
【請求項９】
前記駆動期間の輝度変化率と前記休止期間の輝度変化率との和が次式（Ｂ）を満たす範囲である、請求項４に記載の表示装置。
−１．８％≦ΔＬｄｒｉｖｅ＋ΔＬｐａｕｓｅ≦＋１．８％  …（Ｂ）
ここで、ΔＬｄｒｉｖｅ：駆動期間における輝度変化率
ΔＬｐａｕｓｅ：休止期間における輝度変化率
【請求項１０】
前記β値（Ａ−Ｂ）が次式（Ｃ）で表されるときにフリッカ値が最小になる、請求項９に記載の表示装置。
β値（Ａ−Ｂ）＝−ΔＬｐａｕｓｅ／ｋ  …（Ｃ）
【発明の詳細な説明】
【技術分野】
【０００１】
以下の開示は、表示装置に関し、より詳しくは、低周波駆動時におけるフリッカの発生を抑制する表示装置に関する。
【背景技術】
【０００２】
液晶表示装置は、テレビ受像機、カーナビゲーション装置などの車載用ディスプレイ、ノートパソコン、タブレット型ＰＣ、スマートフォンなどのモバイル端末用のディスプレイなど、様々な機器に搭載されている。このうち、モバイル端末として使用される液晶表示装置では回路の消費電力を低減することが強く求められている。このため、モバイル端末用のディスプレイでは、消費電力を低減するための手段の一つとして、低周波駆動と呼ばれる駆動方法によって駆動することが広く行われている。低周波駆動とは、液晶表示装置の駆動周波数を標準的な周波数の１／２、１／４などに低減することで消費電力を低減する方式である。低周波駆動を行うと液晶表示部におけるデータ信号の書き換え周期が長くなるので、動画表示には適していない。しかし、静止画を表示する液晶表示装置では、有効な消費電力の低減策の一つとして採用されている。
【０００３】
このような液晶表示装置において低周波駆動を行うと、フリッカと呼ばれる点滅のようなちらつきが画面に現れれやすくなる。これは、液晶パネルの各画素において輝度が変化するために生じる現象である。
【０００４】
特許文献１では、フリッカの発生を抑制するために、各画素においてスイッチングトランジスタとして機能する薄膜トランジスタ（ＴＦＴ：Thin Film Transistor)のドレイン電極と、当該画素にデータ信号を供給するデータ信号線との間の寄生容量（以下「自画素の寄生容量」という）と、当該画素に隣接する画素にデータ信号を供給するデータ信号線と当該画素のドレイン電極との間の寄生容量（以下「他画素の寄生容量」という）とをほぼ等しくすることが開示されている。
【先行技術文献】
【特許文献】
【０００５】
【特許文献１】特開２００４−２０６０７５号公報
【発明の概要】
【発明が解決しようとする課題】
【０００６】
液晶材料に印加される電圧は、極性反転直後には、液晶材料と配向膜の静電容量の比によって決まり、十分な時間の経過後には、液晶材料と配向膜の抵抗率の比によって決まる。そこで、特許文献１では、液晶材料の時定数と配向膜の時定数を等しくすることによって、液晶材料に印加される電圧を一定にする。これにより、画素の輝度変化率も時間によらず一定になるので、低周波駆動の休止期間におけるフリッカの発生を抑制することができる。
【０００７】
しかし、例えば液晶材料の抵抗率が一定であっても、配向膜の抵抗値が低くなれば輝度が上昇し、高くなれば輝度が低下する現象が現れる。これは、液晶材料と配向膜の時定数バランスが崩れるためであり、特に低周波駆動において顕著に現れ、フリッカが発生しやすくなる。しかし、特許文献１は低周波駆動においてフリッカの発生を抑制する方法について開示していない。
【０００８】
そこで、以下の開示は、低周波駆動の休止期間に液晶材料に印加される電圧が時間とともに変化する場合であっても、フリッカの発生を抑制する表示装置を提供する。
【課題を解決するための手段】
【０００９】
第１の局面は、外部から入力された画像データに基づいて画像を表示する駆動期間と、前記駆動期間に書き込まれた前記画像データに基づいて前記画像を表示する休止期間とを所定の周波数で交互に繰り返すことにより休止駆動を行う液晶表示装置であって、
複数の画素形成部を含む表示部と、
前記複数の画素形成部を駆動する駆動部と、
外部から入力される前記画像データに基づいて前記駆動部を制御する表示制御部とを備え、
前記画素形成部は、液晶材料と、前記液晶材料を両側から挟むように形成され、前記液晶材料に含まれる液晶分子の配向方向を制御する配向膜とを含み、
前記表示制御部は、前記休止期間において生じる前記複数の画素形成部に表示される前記画像の輝度変化を打ち消すように、前記駆動期間における前記画像の輝度を変化させる。
【発明の効果】
【００１０】
第１の局面によれば、画素形成部を構成する液晶材料と配向膜の時定数が一致しない場合には、休止期間において輝度の変化が生じる。そこで、駆動期間において瞬間的な輝度変化を生じさせることにより、休止期間において発生した輝度変化を打ち消す。これにより、低周波駆動におけるフリッカを改善することができる。
【図面の簡単な説明】
【００１１】
【図１】画素形成部の構成を示す図であり、より詳しくは、（Ａ）は画素形成部の断面図であり、（Ｂ）は画素形成部の等価回路を示す図である。
【図２】低周波駆動の休止期間における輝度変化を示す図であり、より詳しくは、（Ａ）は配向膜の時定数が液晶材料の時定数よりも大きい場合の輝度変化を示す図であり、（Ｂ）は配向膜の時定数と液晶材料の時定数とがほぼ等しい場合の輝度変化を示す図であり、（Ｃ）は配向膜の時定数が液晶材料の時定数よりも小さい場合輝度の変化を示す図である。
【図３】輝度信号を処理するために使用する積分器の周波数特性を示す図である。
【図４】輝度信号をＦＦＴアナライザによって処理された後の周波数成分のエネルギー分布を示す図である。
【図５】本発明の実施形態に係る液晶表示装置の構成を示すブロック図である。
【図６】図５に示す液晶表示装置に含まれる液晶パネルに形成された画素形成部の等価回路を示す回路図である。
【図７】図５に示す液晶表示装置を低周波駆動したときの休止期間における輝度変化率の定義を説明するための図である。
【図８】図７に示す休止期間の輝度変化率とフリッカ値との関係を示す図である。
【図９】図５に示す液晶表示装置に含まれる画素形成部に形成される寄生容量を示す図である。
【図１０】図５に示す液晶表示装置の駆動周波数が３０Ｈｚの場合において、β値（Ａ−Ｂ）とフリッカ値との関係を示す図である。
【図１１】図５に示す液晶表示装置の駆動周波数が３０Ｈｚの場合の輝度の時間変化とβ値（Ａ−Ｂ）との関係を示す図である。
【図１２】図５に示す液晶表示装置においてカラム反転駆動を行う場合の画素（画素形成部）の配列を示す図である。
【図１３】図１２に示すカラム反転駆動において、データ電圧の極性が切り替わった直後の画素の挙動を示す図であり、より詳しくは、（Ａ）はデータ電圧が＋Ｖｓから−Ｖｓに切り替わったデータ信号線に接続された画素の挙動を示す図であり、（Ｂ）は、データ電圧が−Ｖｓから＋Ｖｓに切り替わったデータ信号線に接続された画素の挙動を示す図である。
【図１４】図５に示す液晶表示装置において、休止期間に輝度が上昇するときのβ値（Ａ−Ｂ）と輝度の変化との関係を示す図である。
【図１５】図５に示す液晶表示装置において、休止期間に輝度が低下するときのβ値（Ａ−Ｂ）と輝度の変化との関係を示す図である。
【図１６】駆動周波数が１５Ｈｚの場合において、β値（Ａ−Ｂ）とフリッカ値との関係を示す図である。
【図１７】図５に示す液晶表示装置において、駆動周波数が１５Ｈｚの場合の輝度の時間変化とβ値（Ａ−Ｂ）との関係を示す図である。
【図１８】図５に示す液晶表示装置において、駆動周波数が１５Ｈｚの場合と３０Ｈｚの場合の休止期間における輝度波形を表した図である。
【図１９】図５に示す液晶表示装置において、駆動期間における輝度の変化率と休止期間における輝度の変化率の求め方を説明するための図である。
【図２０】図５に示す液晶表示装置において、β値（Ａ−Ｂ）と駆動期間の輝度の変化率との関係を示す図である。
【図２１】図５に示す液晶表示装置の画素形成部の断面図であり、より詳しくは、（Ａ）は下層電極を共通電極とする画素形成部の断面図であり、（Ｂ）は上層電極を共通電極とする画素形成部の断面図である。
【図２２】図５に示す液晶表示装置において、駆動周波数が１５Ｈｚのときの駆動期間および休止期間の輝度変化率の和と、フリッカ値との関係を示す図である。
【発明を実施するための形態】
【００１２】
＜１．低周波駆動の休止期間における輝度変化＞
液晶材料の時定数と配向膜の時定数とが一致しない液晶表示装置で低周波駆動を行ったときの休止期間における輝度変化について説明する。図１は、画素形成部の構成を示す図であり、より詳しくは、図１（Ａ）は画素形成部の断面図であり、図１（Ｂ）は画素形成部の等価回路を示す図である。
【００１３】
図１（Ａ）に示すように、画素形成部７０は、液晶材料からなる液晶層７１を配向膜７２で挟んだ構造になっている。配向膜７２は液晶材料に含まれる液晶分子の配向方向を制御している。画素形成部７０は、外部から入力される画像データによって液晶分子の配向方向を制御し、背面側から入射するバックライト光の光量を調整することによって画像を表示する。
【００１４】
画素形成部７０を形成する液晶材料と配向膜は、図１（Ｂ）に示すように、いずれも静電容量成分と抵抗成分とが並列に接続された等価回路で表される。また、液晶材料は配向膜によって挟まれているので、液晶材料の等価回路と配向膜の等価回路とは直列に接続されている。さらに画素形成部７０に設けられた補助容量Ｃｓがこれらの等価回路と並列に接続されている。画素形成部７０に入力電圧Ｖｉｎが印加されたときに、電圧の極性が反転した直後と、反転してから十分な時間が経過したときの液晶材料に印加される電圧はそれぞれ静電容量の比および抵抗率の比で表され、より詳細には、次式（１）および（２）によって表される。
Ｖｌｃ１＝Ｃｐｉ／（Ｃｌｃ＋Ｃｐｉ）×Ｖｉｎ  …（１）
Ｖｌｃ２＝Ｒｐｉ／（Ｒｌｃ＋Ｒｐｉ）×Ｖｉｎ  …（２）
ここで、
Ｖｌｃ１：液晶材料に印加される極性が反転した直後の電圧
Ｖｌｃ２：液晶材料に印加される十分な時間経過後の電圧
Ｃｐｉ：配向膜の静電容量
Ｒｐｉ：配向膜の抵抗値
Ｃｌｃ：液晶層の静電容量
Ｒｌｃ：液晶層の抵抗値
Ｖｉｎ：入力電圧
【００１５】
液晶材料の時定数ＣｌｃＲｌｃと配向膜の時定数ＣｐｉＲｐｉとが等しければ、液晶材料に印加される電圧は時間によらず一定になる。しかし、設計条件によっては材料や膜圧の制約のために、液晶材料の時定数ＣｌｃＲｌｃと配向膜の時定数ＣｐｉＲｐｉとを一致させることができない場合がある。この場合、輝度は時間と共に変化するようになる。
【００１６】
図２は、低周波駆動の休止期間における輝度変化を示す図であり、より詳しくは、図２（Ａ）は配向膜の時定数が液晶材料の時定数よりも大きい場合の輝度変化を示す図であり、図２（Ｂ）は配向膜の時定数と液晶材料の時定数とがほぼ等しい場合の輝度変化を示す図であり、図２（Ｃ）は配向膜の時定数が液晶材料の時定数よりも小さい場合輝度の変化を示す図である。
【００１７】
図２（Ｂ）に示すように、配向膜の時定数と液晶材料の時定数とが一致する場合には、休止期間の輝度は変化せず、ほぼ一定になる。しかし、図２（Ａ）に示すように、配向膜の時定数が液晶材料の時定数よりも大きい場合、すなわちＣｐｉＲｐｉ＞ＣｌｃＲｌｃの場合には、休止期間の輝度は時間と共に低下する輝度低下波形になる。また、図２（Ｃ）に示すように、配向膜の時定数が液晶材料の時定数よりも小さい場合、すなわちＣｐｉＲｐｉ＜ＣｌｃＲｌｃの場合には、休止期間の輝度は時間と共に上昇する輝度上昇波形になる。
【００１８】
＜２．フリッカ値の測定＞
ある条件でディスプレイ上に現れる点滅のようなちらつき（フリッカ）を定量的に表すためにフリッカ値が使用される。フリッカ値の測定方法には、コントラスト方式とＪＥＩＴＡ（Japan Electronics and Information Technology Industries Association）方式の２種類の方式がある。コントラスト方式では、フリッカ値は測定した輝度の交流成分と直流成分との比として求められ、駆動周波数には依存しない。しかし、人間の視覚は周波数に対して依存性を有するので、コントラスト方式によって求めたフリッカ値は人間の視覚特性と一致しない場合がある。特に低周波駆動では人間の視覚特性とコントラスト方式によって求めたフリッカ値との差が大きくなる。
【００１９】
一方、ＪＥＩＴＡ方式のフリッカ値は、輝度信号を、視覚特性を考慮した積分器に通した後に、高速フーリエ変換（ＦＦＴ：fast Fourier transform）アナライザによって処理することにより周波数成分のエネルギー分布に基づいて求められる。図３は輝度信号を処理するために使用する積分器の周波数特性を示す図であり、図４はＦＦＴアナライザによって処理された後の周波数成分のエネルギー分布を示す図である。図３に示すように、積分器の周波数特性は、人間の視覚と同様に、周波数が６０Ｈｚ以下になるとレベルが急激に大きくなる。また、図４に示すように、周波数０の成分のパワーをＰ０、Ｐ０以外の成分のパワーをＰｘ１、Ｐｘ２としたときの最大値をＰｘ（図４に示す場合にはＰｘ１）とすれば、ＪＥＩＴＡ方式のフリッカ値は次式（３）によって求められる。
ＪＥＩＴＡ方式のフリッカ値＝１０ｌｏｇ（Ｐｘ／Ｐ０）［ｄＢ］  …（３）
このようにして求めたＪＥＩＴＡ方式のフリッカ値は、休止期間において輝度の変化が大きくなると大きくなるので、６０Ｈｚ以下になると急激にフリッカを感じやすくなる人間の視覚特性を表す指標となる。そこで、本明細書ではフリッカ値としてＪＥＩＴＡ方式のフリッカ値を使用する。
【００２０】
＜３．実施形態＞
＜３．１  液晶表示装置の構成＞
図５は、本発明の実施形態に係る液晶表示装置の構成を示すブロック図である。この液晶表示装置は、液晶パネル１０と、表示制御回路２０と、走査信号線駆動回路３０と、データ信号線駆動回路４０と、補助容量配線駆動回路５０とを備えている。
【００２１】
液晶パネル１０は、ＴＦＴ基板と、カラーフィルタ（Color Filter：以下「ＣＦ」という）基板と、ＴＦＴ基板およびＣＦ基板の表面にそれぞれ形成された配向膜によって挟持された液晶層とを含む。図５に示すように、ＴＦＴ基板は、ｍ（ｍ：１以上の整数）本のデータ信号線Ｓ１〜Ｓｍ、ｎ（ｎ：１以上の整数）本の走査信号線Ｇ１〜Ｇｎ、ｎ本の補助容量配線Ｌｓ１〜Ｌｓｎ、および、（ｍ×ｎ）個の画素形成部７０を含む。走査信号線Ｇ１〜Ｇｎは水平方向に互いに平行に配置され、データ信号線Ｓ１〜Ｓｍは走査信号線Ｇ１〜Ｇｎと交差するように互いに平行に配置され、補助容量配線Ｌｓ１〜Ｌｓｎは走査信号線Ｇ１〜Ｇｎとそれぞれ平行に配置されている。
【００２２】
走査信号線Ｇ１〜Ｇｎとデータ信号線Ｓ１〜Ｓｍの交点近傍には、画素形成部７０が配置されている。（ｍ×ｎ）個の画素形成部７０は、行方向にｍ個ずつ、列方向にｎ個ずつ、マトリクス状に配置されている。データ信号線Ｓｊ（ｊ：１以上ｍ以下の整数）はｊ列目に配置された画素形成部７０に共通して接続され、走査信号線Ｇｉ（ｉ：１以上ｎ以下の整数）および補助容量配線Ｌｓｉはｉ行目に配置された画素形成部７０に共通して接続されている。ＣＦ基板は、複数の画素形成部７０に共通的に設けられた共通電極（図示しない）と、カラー画像を表示するためのカラーフィルタ（図示しない）とを含む。
【００２３】
外部から表示制御回路２０に、水平同期信号、垂直同期信号等の制御信号ＴＳおよび表示画像データＤＡＴが与えられる。表示制御回路２０は、これらの信号に基づき、走査信号線駆動回路３０に対してクロック信号ＣＫとスタートパルスＳＴを出力し、データ信号線駆動回路４０に対して制御信号ＳＣとデジタル画像信号ＤＶを出力し、補助容量配線駆動回路５０に対して制御信号Ｓｃｓを出力する。
【００２４】
走査信号線駆動回路３０は、走査信号線Ｇ１〜Ｇｎに対して、順に選択信号を出力する。これにより、走査信号線Ｇ１〜Ｇｎが１本ずつ順に選択され、１行分の画素形成部７０が同時に選択される。
【００２５】
データ信号線駆動回路４０は、制御信号ＳＣとデジタル画像信号ＤＶとに基づき、データ信号線Ｓ１〜Ｓｍに対してデジタル画像信号ＤＶに応じた電圧（データ電圧）を与える。これにより、選択された１行分の画素形成部７０にデータ電圧が書き込まれる。なお、液晶パネルを表示部といい、走査信号線駆動回路３０とデータ信号線駆動回路４０とをまとめて駆動部という場合がある。
【００２６】
図６は、液晶パネルに形成された画素形成部の等価回路を示す回路図である。図６に示すように、画素形成部７０には、スイッチング素子として機能する薄膜トランジスタ（Thin Film Transistor：以下「ＴＦＴ」と表記する）７５が設けられている。ＴＦＴ７５のゲート電極７６は走査信号線Ｇに接続され、ソース電極７８はデータ信号線Ｓに接続され、ドレイン電極７９は画素電極８１に接続されている。
【００２７】
本実施形態ではＴＦＴ７５として、例えば酸化物半導体をチャネル層に用いたＴＦＴが用いられる。より詳細には、ＴＦＴ７５のチャネル層は、インジウム（Ｉｎ）、ガリウム（Ｇａ）、亜鉛（Ｚｎ）、および酸素（Ｏ）を主成分とするＩＧＺＯ（ＩｎＧａＺｎＯｘ）により形成されている。このようなＩＧＺＯをチャネル層に用いたＴＦＴでは、非晶質シリコンなどをチャネル層に用いたシリコン系のＴＦＴに比べてオフリーク電流が大幅に低減されるので、液晶容量８０および補助容量Ｃｓに書き込まれた電圧をより長期間保持することができる。これにより、液晶表示装置は低周波駆動を行う場合にも画像を表示することができる。なお、ＩＧＺＯ以外の酸化物半導体として、例えばインジウム、ガリウム、亜鉛、銅（Ｃｕ）、シリコン（Ｓｉ）、錫（Ｓｎ）、アルミニウム（Ａｌ）、カルシウム（Ｃａ）、ゲルマニウム（Ｇｅ）、および鉛（Ｐｂ）のうち少なくとも１つを含む酸化物半導体をチャネル層に用いた場合でも同様の効果が得られる。
【００２８】
さらに画素形成部７０には、液晶容量８０（本明細書では「保持容量」と表記することがある）とともに、補助容量Ｃｓが設けられている。液晶容量８０は、画素電極８１と、共通電極８２と、それらに挟まれた液晶層（図示しない）とによって構成されている。共通電極８２は共通電極配線（図示しない）を介して共通電極駆動回路（図示しない）に接続されている。補助容量Ｃｓは、画素電極８１と、補助容量電極８３と、それらによって挟まれた絶縁膜（図示しない）とによって構成されている。補助容量電極８３は補助容量配線Ｌｓに接続され、補助容量配線Ｌｓは補助容量配線駆動回路５０に接続されている。補助容量配線駆動回路５０は補助容量電極８３を駆動する。
【００２９】
＜３．２  輝度変化率＞
図７は、低周波駆動の休止期間における輝度変化率の定義を説明するための図である。図７に示すように、低周波駆動を行う場合には、１／６０秒毎に各画素形成部にデータ電圧を印加して画像を表示する駆動期間と、駆動期間に印加されたデータ電圧を保持し続ける休止期間とが設けられている。図７を参照して、休止期間の輝度変化率は次式（４）により表される。
Ｐ＝（Ｌ２−Ｌ１）／Ｌａｖｅ  …（４）
ここで、Ｌ１：休止期間における最小輝度
Ｌ２：休止期間における最大輝度
Ｌａｖｅ：休止期間における平均輝度
【００３０】
図８は、休止期間の輝度変化率とフリッカ値との関係を示す図である。図８に示すように、駆動周波数が３０Ｈｚ、２０Ｈｚ、１５Ｈｚの場合について、休止期間の輝度変化率とフリッカ値との関係について説明する。いずれの駆動周波数の場合にも輝度変化率が大きくなるのに伴って、休止期間のフリッカ値が大きくなる。また、駆動周波数が３０Ｈｚ、２０Ｈｚ、１５Ｈｚの順に、すなわち休止期間が長い順にフリッカ値が大きくなる。なお、以上は休止期間の輝度変化率が正の場合の説明であるが、休止期間の輝度変化率が負の場合にも輝度変化率の絶対値が大きくなるほど、また休止期間が長くなるほど、休止期間のフリッカ値が大きくなる。
【００３１】
＜３．３  駆動周波数が３０Ｈｚの場合の休止期間における輝度変化＞
図９は、画素形成部に形成される寄生容量を示す図である。図９に示すように、画素形成部には、自画素のデータ信号線とＴＦＴのドレイン電極とによって構成される寄生容量Ｃｓｄ（Ａ）と、隣接する画素のデータ信号線と自画素のドレイン電極とによって構成される寄生容量Ｃｓｄ（Ｂ）とが含まれる。その他にも、ＴＦＴゲート電極とドレイン電極との間に形成される寄生容量が含まれているが、本実施形態と直接関係していないのでその説明を省略する。
【００３２】
図１０は、駆動周波数が３０Ｈｚの場合において、β値（Ａ−Ｂ）とフリッカ値との関係を示す図である。ここで、β値（Ａ−Ｂ）は次式（５）で表される指標である。
β（Ａ−Ｂ）＝｛Ｃｓｄ（Ａ）−Ｃｓｄ（Ｂ）｝／Ｃｐｉ  …（５）
ここで、Ｃｐｉ：画素電極と共通電極とによって構成される液晶容量
図１０に示すように、β値（Ａ−Ｂ）≒０のときにフリッカ値は最小になり、β値（Ａ−Ｂ）の絶対値が大きくなればなるほどフリッカ値は大きくなるので、フリッカが悪化する。
【００３３】
図１１は、駆動周波数が３０Ｈｚの場合の輝度の時間変化とβ値（Ａ−Ｂ）との関係を示す図である。図１１に示すように、駆動期間の前半では、データ信号線にデータ電圧が印加される。これにより、β値（Ａ−Ｂ）が負のときは瞬間的な輝度上昇が発生し、正のときは瞬間的な輝度低下が発生する。このとき、β値（Ａ−Ｂ）の絶対値が大きいほどより大きな輝度上昇または輝度低下が発生する。駆動期間の後半において走査信号が入力されることによってＴＦＴがオン状態になると、データ電圧が画素に書き込まれるので輝度は元に戻る。このため、β値（Ａ−Ｂ）が負のときは瞬間的に上昇した輝度は低下し、β値（Ａ−Ｂ）が正のときは瞬間的に低下した輝度は上昇する。その後、休止期間になると輝度が上昇するが、休止期間が短いために輝度上昇による変化は小さい。
【００３４】
駆動期間において、輝度がβ値（Ａ−Ｂ）に依存して変化する理由を説明する。図１２は、カラム反転駆動を行う液晶表示装置の画素（画素形成部）の配列を示す図である。図１３は、データ電圧の極性が切り替わった直後の画素の挙動を示す図であり、より詳しくは、図１３（Ａ）はデータ電圧が＋Ｖｓから−Ｖｓに切り替わったデータ信号線に接続された画素の挙動を示す図であり、図１３（Ｂ）は、データ電圧が−Ｖｓから＋Ｖｓに切り替わったデータ信号線に接続された画素の挙動を示す図である。以下では、図１２に示すＲ（Ｒｅｄ）、Ｇ（Ｇｒｅｅｎ）、Ｂ（Ｂｌｕｅ）の各画素のうち、ｉ列目と（ｉ＋３）列目のＧ画素に着目して説明する。
【００３５】
図１３（Ａ）に示すように、データ電圧がある瞬間に＋Ｖｓから−Ｖｓに切り替わるｉ列目のデータ信号線に接続されたＧ画素では、データ電圧がΔＶｚだけ変動すると、Ｇ画素の電圧は接続されたデータ信号線の影響を受けてＣｓｄ（Ａ）／Ｃｐｉｘ×ΔＶｚだけ輝度が低下する方向に変化する。このとき、隣接する画素が接続されたデータ信号線の影響により、Ｇ画素の電圧はＣｓｄ（Ｂ）／Ｃｐｉｘ×ΔＶｚだけ輝度が上昇する方向に電圧が変化する。このため、Ｇ画素の電圧は次式（６）によって示される電圧だけ変動し、β値（Ａ−Ｂ）が正の値のときには輝度が低下し、負の値のときには輝度が上昇する。
（Ｃｓｄ（Ａ）−Ｃｓｄ（Ｂ））／Ｃｐｉｘ×ΔＶｚ＝β値（Ａ−Ｂ）×ΔＶｚ
…（６）
【００３６】
一方、図１３（Ｂ）に示すように、データ電圧がある瞬間に−Ｖｓから＋Ｖｓに切り替わる（ｉ＋３）列目のデータ信号線に接続されたＧ画素において、データ信号がΔＶｚだけ変動すると、Ｇ画素の電圧は接続されたデータ信号線の影響を受けてＣｓｄ（Ａ）／Ｃｐｉｘ×ΔＶｚだけ輝度が低下する方向に変化する。このとき、隣接する画素が接続されたデータ信号線の影響により、Ｇ画素の電圧はＣｓｄ（Ｂ）／Ｃｐｉｘ×ΔＶｚだけ輝度が上昇する方向に変化する。
【００３７】
いずれの場合も、ｉ列目のＧ画素と（ｉ＋３）列目のＧ画素とは同じタイミングで輝度が上昇するので、それらの輝度は互いに打ち消されない。輝度が低下する場合も同様である。このため、データ電圧の極性が切り替わってから走査信号が入力されるまでの期間では、Ｇ画素の電圧は、式（６）によって示される電圧だけ変動し、β値（Ａ−Ｂ）が正の値のときには輝度が上昇し、負の値のときには輝度が低下する。
【００３８】
次に走査信号が与えられてＴＦＴがオン状態になると、データ信号線からデータ信号がＧ画素に書き込まれる。その結果、Ｇ画素の輝度は新たに書き込まれたデータ信号によって決まる輝度になり、データ信号の影響を受ける前の輝度になる。
【００３９】
このように、β値（Ａ−Ｂ）が正の値のときには、データ信号の極性反転直後に輝度が低下し、走査信号が入力されると輝度が上昇する。これに対して、β値（Ａ−Ｂ）が負の値のときには、データ信号の極性反転直後に輝度が上昇し、走査信号が入力されると輝度が低下する。その後、休止期間になるといずれの場合も輝度が上昇する。
【００４０】
＜３．４  β値（Ａ−Ｂ）の値と輝度変化との関係＞
次に、β値（Ａ−Ｂ）が略０の場合、正の場合、および負の場合における各輝度の変化について、休止期間に輝度が上昇する場合と、輝度が低下する場合に分けて説明する。図１４は休止期間に輝度が上昇するときのβ値（Ａ−Ｂ）と輝度の変化との関係を示す図であり、図１５は休止期間に輝度が低下するときのβ値（Ａ−Ｂ）と輝度の変化との関係を示す図である。なお、前述のように、液晶材料の時定数ＣｌｃＲｌｃと配向膜の時定数ＣｐｉＲｐｉの大小と輝度との関係については、以下の通りである。
ＣｐｉＲｐｉ＜ＣｌｃＲｌｃのとき輝度は上昇
ＣｐｉＲｐｉ＝ＣｌｃＲｌｃのとき輝度はほぼ一定
ＣｐｉＲｐｉ＞ＣｌｃＲｌｃのとき輝度は低下
図１４および図１５を参照して、β値（Ａ−Ｂ）と輝度の変化との関係を説明する。なお、以下の説明において、時刻ｔ１はデータ信号線の電位がセンタ値からデータ信号の電位に変化した時点、時刻ｔ２は走査信号が走査信号線に入力された時点、時刻ｔ３はデータ信号線の電位がデータ信号の電位からセンタ値に戻った時点をそれぞれ表す。
【００４１】
（１）β値（Ａ−Ｂ）≒０の場合
（ａ）時刻ｔ１において、データ信号線の電位がデータ信号の電位がセンタ値から＋Ｖｓ（または−Ｖｓ）にΔＶｚだけ変化した場合、β値（Ａ−Ｂ）≒０であるので、データ信号線の電位が変化しても輝度は変化しない。このため、輝度は液晶材料と配向膜のＣＲ時定数のバランスによる変化分だけ変化する。具体的には、ＣｐｉＲｐｉ＜ＣｌｃＲｌｃのとき輝度は上昇し、ＣｐｉＲｐｉ＞ＣｌｃＲｌｃのとき輝度は低下し、ＣｐｉＲｐｉ＝ＣｌｃＲｌｃのとき輝度はほぼ一定になる。
【００４２】
（ｂ）時刻ｔ２において、ＴＦＴのゲート電極がオン状態になると、データ信号線の電位＋Ｖｓはドレイン電圧ＶｄとしてＴＦＴを介して画素電極に印加される。その結果、画素は新たに書き込まれた電圧Ｖｄによって決まる輝度になり、データ信号線の電位Ｖｓの影響を受ける前の輝度に向かう。その後、画素に書き込まれた電圧Ｖｄは放電されるので、画素の輝度は低下する。
【００４３】
（ｃ）時刻ｔ３において、データ信号の電位が＋Ｖｓ（または−Ｖｓ）からΔＶｚだけ変化してセンタ値に戻っても、β値（Ａ−Ｂ）≒０のため輝度は変化しない。このため、画素の輝度は、液晶材料と配向膜のＣＲ時定数のバランスによる変化分だけ変化する。具体的には、ＣｐｉＲｐｉ＜ＣｌｃＲｌｃのとき輝度は上昇し、ＣｐｉＲｐｉ＞ＣｌｃＲｌｃのとき輝度は低下し、ＣｐｉＲｐｉ＝ＣｌｃＲｌｃのとき輝度はほぼ一定になる。
【００４４】
（２）β値（Ａ−Ｂ）＞０の場合
（ａ）時刻ｔ１において、データ信号線の電位がセンタ値から＋Ｖｓ（または−Ｖｓ）にΔＶｚだけ変化すると、液晶材料と配向膜のＣＲ時定数のバランスによる輝度変化に加えて、データ信号線の電圧がβ値（Ａ−Ｂ）×ΔＶｓだけ低下するので、画素の輝度が低下する。
【００４５】
（ｂ）時刻ｔ２において、ＴＦＴのゲート電極がオン状態になると、データ信号線の電位＋Ｖｓはドレイン電圧としてＴＦＴを介して画素電極に印加される。その結果、画素は新たに書き込まれた電圧Ｖｄによって決まる輝度になり、ソース信号により影響を受ける前の輝度に向かう。その後、画素に書き込まれた電圧Ｖｄは放電されるので、画素の輝度は低下する。
【００４６】
（ｃ）時刻ｔ３において、データ信号の電位が＋Ｖｓ（または−Ｖｓ）からセンタ値にΔＶｚだけ変化してセンタ値に戻るとき、液晶材料と配向膜のＣＲ時定数のバランスによる輝度変化に加えて、画素に印加される電圧がβ値（Ａ−Ｂ）×ΔＶｓだけ低下するので、画素の輝度が低下する。
【００４７】
（３）β値（Ａ−Ｂ）＜０の場合
（ａ）時刻ｔ１において、データ信号線の電位がセンタ値から＋Ｖｓ（または−Ｖｓ）にΔＶｚだけ変化すると、液晶材料と配向膜のＣＲ時定数のバランスによる輝度変化に加えて、データ信号線の電位がβ値（Ａ−Ｂ）×ΔＶｓだけ上昇するので、画素の輝度が上昇する。
【００４８】
（ｂ）時刻ｔ２において、ＴＦＴのゲートがオン状態になると、データ信号線の電位＋Ｖｓはドレイン電圧としてＴＦＴを介して画素電極に印加される。その結果、画素は新たに書き込まれた電圧Ｖｄによって決まる輝度になり、データ信号により影響を受ける前の輝度に向かう。その後、画素に書き込まれた電圧Ｖｄは放電されるので、画素の輝度は低下する。
【００４９】
（ｃ）時刻ｔ３において、データ信号の電位が＋Ｖｓ（または−Ｖｓ）からセンタ値にΔＶｚだけ変化すると、液晶材料と配向膜のＣＲ時定数のバランスによる輝度変化に加えて、画素に印加される電圧がβ値（Ａ−Ｂ）×ΔＶｓだけ上昇するので、画素の輝度は上昇する。
【００５０】
＜３．５  駆動周波数が１５Ｈｚの場合の休止期間における輝度変化＞
図１６は、駆動周波数が１５Ｈｚの場合において、β値（Ａ−Ｂ）とフリッカ値との関係を示す図である。図１６に示すように、３０Ｈｚの場合と異なり、駆動周波数が１５Ｈｚの場合には、フリッカ値が最小になるのは、β値（Ａ−Ｂ）≒０のときではなく、β値（Ａ−Ｂ）＞０のときである。これは、液晶材料の時定数ＣｌｃＲｌｃが配向膜の時定数ＣｐｉＲｐｉよりも大きいことによって生じる休止期間の輝度上昇は、駆動期間の瞬間的な輝度低下によって打ち消されるため、休止期間のフリッカ値が低くなる。一方、休止期間に輝度が低下する場合には、駆動期間の瞬間的な輝度上昇によって輝度低下が打ち消されるため、休止期間のフリッカ値が低くなる。
【００５１】
図１７は、駆動周波数が１５Ｈｚの場合の輝度の時間変化とβ値（Ａ−Ｂ）との関係を示す図である。図１７に示すように、β値（Ａ−Ｂ）が負のときおよび略０のときのフリッカ値は、駆動期間において輝度が瞬間的に上昇し、β値（Ａ−Ｂ）が正のときに輝度が瞬間的に低下する。その後、ゲート電極に走査信号が印加されると、データ信号線のデータ電圧が画素に書き込まれるので、輝度はデータ電圧の極性が変化する前の状態に向かう。休止期間に移行すると、β値（Ａ−Ｂ）の値にかかわらずいずれの場合も輝度が上昇する。
【００５２】
次に、休止期間の輝度変化と駆動周波数との関係について説明する。図１８は、駆動周波数が１５Ｈｚの場合と３０Ｈｚの場合の休止期間における輝度波形を表した図である。図１８に示すように、１５Ｈｚの休止期間の長さは３０Ｈｚの休止期間の長さの２倍になっている。
【００５３】
輝度上昇の速度は、液晶材料の時定数と配向膜のＣＲ時定数のバランスによって決まるので、１５Ｈｚの場合と３０Ｈｚの場合の輝度上昇の速度は同じである。輝度上昇の上昇幅は休止期間の長さが長くなるほど大きくなる。１５Ｈｚの場合の休止期間は、３０Ｈｚの場合の休止期間に比べて長いので、その分だけ輝度が上昇する。このような休止期間の輝度上昇の違いに起因して、図１６に示すβ値（Ａ−Ｂ）が正のときのフリッカ値が、図１０に示すフリッカ値よりも小さくなったと考えられる。なお、ここでは、輝度変化に影響を与えるのはＣＲ時定数のバランスだけであるとして説明したが、輝度変化はＣＲ時定数のバランスだけでなく、駆動方法や表示モードなどの影響も受ける。
【００５４】
＜３．６  液晶パネルの構造＞
データ信号の極性を反転させたときの駆動期間における輝度の変化率ΔＬｄｒｉｖｅと、休止期間における輝度の変化率ΔＬｐａｕｓｅについて説明する。図１９は、駆動期間における輝度の変化率と休止期間における輝度の変化率の求め方を説明するための図である。図１９に示すように、駆動期間の最も低い輝度をＬ２、最も高い輝度をＬ３とし、休止期間の最も低い輝度をＬ１、最も高い輝度をＬ２とし、駆動期間および休止期間の全期間における輝度の平均値をＬａｖｅとしたとき、駆動期間の輝度の変化率ΔＬｄｒｉｖｅおよび休止期間の輝度の変化率ΔＬｐａｕｓｅはそれぞれ次式（７）および（８）によって表される。
ΔＬｄｒｉｖｅ＝（Ｌ３−Ｌ２）／Ｌａｖｅ  …（７）
ΔＬｐａｕｓｅ＝（Ｌ２−Ｌ１）／Ｌａｖｅ  …（８）
【００５５】
次に、β値（Ａ−Ｂ）と駆動期間の輝度の変化率ΔＬｄｒｉｖｅとの関係について説明する。図２０は、β値（Ａ−Ｂ）と駆動期間の輝度の変化率との関係を示す図である。図２０から、ΔＬｄｒｉｖｅとβ値（Ａ−Ｂ）とは比例しており、その比例定数をｋで表すと、ΔＬｄｒｉｖｅは次式（９）で表されることがわかる。
ΔＬｄｒｉｖｅ≒β値（Ａ−Ｂ）×ｋ  …（９）
ここで、比例定数ｋは液晶パネルの構造に固有の値であり、主に画素電極と共通電極との位置関係によって決まると考えられる。β値（Ａ−Ｂ）が負のとき駆動期間に瞬間的な輝度上昇が発生し、β値（Ａ−Ｂ）が正のとき駆動期間に瞬間的な輝度低下が発生するので、比例定数ｋは常に負の値になる。
【００５６】
このように、駆動期間の輝度の変化率ΔＬｄｒｉｖｅとβ値（Ａ−Ｂ）が比例し、かつ比例定数ｋが負であるので、休止期間の輝度の変化率ΔＬｐａｕｓｅが正であれば、駆動期間の輝度の変化率ΔＬｄｒｉｖｅが負のとき、すなわちβ値（Ａ−Ｂ）が正のときにフリッカを低減することができる。また、休止期間の輝度の変化率ΔＬｐａｕｓｅが負であれば、駆動期間の輝度の変化率ΔＬｄｒｉｖｅが正のとき、すなわちβ値（Ａ−Ｂ）が負のときにフリッカを低減することができる。
【００５７】
ＩＴＯからなる下層電極によって共通電極を構成する液晶パネルの構造をパネル構造１とし、ＩＴＯからなる上層電極によって共通電極を構成する液晶パネルの構造をパネル構造２としたとき、比例定数ｋの値はそれぞれ次式（１０）および（１１）のようになる。
パネル構造１    ｋ≒−５．５  …（１０）
パネル構造２    ｋ≒−１．５  …（１１）
【００５８】
図２１は画素形成部（画素）の断面図であり、より詳しくは、図２１（Ａ）は下層電極を共通電極とする画素形成部の断面図であり、図２１（Ｂ）は上層電極を共通電極とする画素形成部の断面図である。図２１（Ａ）に示すように、下層電極を共通電極８２とする画素形成部では、絶縁基板８６上にゲート電極７６と、ゲート電極７６を覆うように形成されたゲート絶縁膜８７と、ゲート絶縁膜８７上に形成された、ソース領域およびドレイン領域を含む半導体層７７と、ソース領域に接続されたソース電極７８と、ドレイン領域に接続されたドレイン電極７９とからなるＴＦＴが形成されている。さらに、ＴＦＴを覆うように絶縁膜８８、８９が形成され、絶縁膜８９上にＩＴＯからなる共通電極８２が形成されている。さらに、共通電極８２上に絶縁膜９０を挟んで画素電極８１が共通電極８２と対向するように形成されている。ドレイン電極７９に達するコンタクトホールが絶縁膜８９および８８に設けられ、画素電極８１がコンタクトホール内でドレイン電極７９と電気的に接続されている。
【００５９】
また、図２１（Ｂ）に示すように、上層電極を共通電極とする画素形成部では、絶縁基板８６上にゲート電極７６と、ゲート電極７６を覆うように形成されたゲート絶縁膜８７と、ゲート絶縁膜８７上に形成された、ソース領域およびドレイン領域を含む半導体層７７と、ソース領域に接続されたソース電極７８と、ドレイン領域に接続されたドレイン電極７９とからなるＴＦＴが形成されている。さらに、ＴＦＴを覆うように絶縁膜８８、８９が形成され、絶縁膜８９上に画素電極８１が形成されている。さらに、画素電極８１上に形成された絶縁膜９０を挟んでＩＴＯからなる共通電極８２が画素電極８１と対向するように形成されている。ドレイン電極７９に達するコンタクトホールが絶縁膜８９および８８に形成され、画素電極８１がコンタクトホール内でドレイン電極７９と電気的に接続されている。
【００６０】
＜３．７  輝度変化率とフリッカ値の関係＞
図２２は、駆動周波数が１５Ｈｚのときの駆動期間および休止期間の輝度変化率の和と、フリッカ値との関係を示す図である。目視によって人間がちらつきを感じるときのフリッカ値は一般的に−５０〜−５５ｄＢと言われている。そこで、図２２から、駆動周波数が１５Ｈｚのときに、フリッカ値を−５０ｄｂまで低減するためには、駆動期間の輝度変化率ΔＬｄｒｉｖｅおよび休止期間の輝度変化率ΔＬｐａｕｓｅの和は次式（１２）を満たす必要がある。
−１．８％≦ΔＬｄｒｉｖｅ＋ΔＬｐａｕｓｅ≦＋１．８％  …（１２）
ΔＬｄｒｉｖｅ≒β値（Ａ−Ｂ）×ｋを式（１２）に代入する。その結果、次式（１３）が得られる。
（−１．８％＋ΔＬｐａｕｓｅ）／ｋ≦β値（ＡーＢ）
≦（−１．８％−ΔＬｐａｕｓｅ）／ｋ  …（１３）
【００６１】
液晶パネルの構造がパネル構造１ではｋ≒−１．５であり、さらにΔＬｐａｕｓｅ＝＋０．３％の場合には、β値（Ａ−Ｂ）の範囲は次式（１４）によって表される。
−０．０１≦β値（Ａ−Ｂ）≦０．０１４  …（１４）
【００６２】
また、図２２から、フリッカ値が最小になるのは、ΔＬｄｒｉｖｅ＋ΔＬｐａｕｓｅ≒０のとき、すなわちΔＬｄｒｉｖｅ＝ΔＬｐａｕｓｅ＝０のときである。一方、式（５）よりΔＬｄｒｉｖｅ≒β値（Ａ−Ｂ）×ｋであるので、フリッカ値が最小になるのは  ΔＬｐａｕｓｅが次式（１５）によって求められる値になるときときである。
ΔＬｐａｕｓｅ≒−β値（Ａ−Ｂ）×ｋ  …（１５）
【００６３】
以上の説明は、駆動周波数が１５Ｈｚの場合についての説明である。しかし、図３に示す視覚特性を考慮した積分器の周じゃ数特性から、駆動周波数が１０〜１５Ｈｚ付近が最もフリッカを感じやすいことがわかる。このため、駆動周波数が１５Ｈｚのときの条件を満たせば、他の周波数のときも同様に満たすと考えられる。これにより、ちらつきを感じないようにフリッカを低減するためには、β値（Ａ−Ｂ）が式（１３）によって規定される範囲内になるようにすればよい。
【００６４】
＜３．８  本実施形態の効果＞
休止駆動を行う表示装置において、配向膜の時定数ＣｐｉＲｐｉが液晶材料の時定数ＣｌｃＲｌｃよりも大きければ、休止期間の輝度波形は低下波形になり、輝度が低下する。そこで、β値（Ａ−Ｂ）が正の値になるように、自画素の寄生容量Ｃｓｄ（Ａ）を隣接画素の寄生容量よりも大きくする。これにより、駆動期間において瞬間的に輝度低下が発生することによって、休止期間における輝度の上昇を打ち消すことができる。
【００６５】
一方、配向膜の時定数ＣｐｉＲｐｉが液晶材料の時定数ＣｌｃＲｌｃよりも小さければ、休止期間の輝度波形は上昇波形になり、輝度が上昇する。そこで、β値（Ａ−Ｂ）が負の値になるように、自画素の寄生容量Ｃｓｄ（Ａ）を隣接画素の寄生容量よりも小さくする。これにより、駆動期間において瞬間的に輝度上昇が発生することによって、休止期間における輝度の低下を打ち消すことができる。
【００６６】
このように、使用する液晶材料と配向膜の時定数が一致しない場合には、β値（Ａ−Ｂ）が正または負の値になるように、自画素の寄生容量Ｃｓｄ（Ａ）と隣接画素の寄生容量Ｃｓｄ（Ｂ）を調整することによって、休止期間における輝度の変化を打ち消してフリッカ値を小さくし、フリッカを改善する。特に、低周波駆動においてフリッカが悪化しやすいので、本実施形態のβ値（Ａ−Ｂ）を調整する方法はフリッカを抑制する効果が大きい。
【００６７】
駆動期間の輝度変化率とβ値（Ａ−Ｂ）とは比例し、その比例定数ｋは、主として画素容量を構成する画素電極と共通電極との配置によって決まる。そこで、低周波駆動時のフリッカを改善するために、休止期間の輝度変化率ΔＬｐａｕｓｅが正の値のとき、駆動期間の輝度変化率ΔＬｄｒｉｖｅを負の値にして休止期間の輝度上昇を打ち消すために、β値（Ａ−Ｂ）が正の値になるようにする。このため、図から自画素の寄生容量Ｃｓｄ（Ａ）が隣接画素の寄生容量Ｃｓｄ（Ｂ）よりも大きくなるように設計する。
【００６８】
また、休止期間の輝度変化率ΔＬｐａｕｓｅが負の値のとき、駆動期間の輝度変化率ΔＬｄｒｉｖｅを正の値にして休止期間の輝度低下を打ち消すために、β値（Ａ−Ｂ）が負の値になるようにする。このため、図から自画素の寄生容量Ｃｓｄ（Ａ）が隣接画素の寄生容量Ｃｓｄ（Ｂ）よりも小さくなるように設計する。
【００６９】
このように、自画素の寄生容量Ｃｓｄ（Ａ）と隣接画素の寄生容量Ｃｓｄ（Ｂ）を調整することによって、休止期間の輝度の変化を駆動期間の輝度の変化によって打ち消すことにより、フリッカ値を小さくすることができるので、フリッカを改善することができる。
【００７０】
＜３．９  付記＞
付記１に記載の表示装置は、外部から入力された画像データに基づいて画像を表示する駆動期間と、前記駆動期間に書き込まれた前記画像データに基づいて前記画像を表示する休止期間とを所定の周波数で交互に繰り返すことにより休止駆動を行う液晶表示装置であって、
複数の画素形成部を含む表示部と、
前記複数の画素形成部を駆動する駆動部と、
外部から入力される前記画像データに基づいて前記駆動部を制御する表示制御部とを備え、
前記画素形成部は、液晶材料と、前記液晶材料を両側から挟むように形成され、前記液晶材料に含まれる液晶分子の配向方向を制御する配向膜とを含み、
前記表示制御部は、前記休止期間において生じる前記複数の画素形成部に表示される前記画像の輝度変化を打ち消すように、前記駆動期間における前記画像の輝度を変化させる。
【００７１】
付記２に記載の表示装置は、付記１に記載の表示装置において、
前記休止期間における前記画像の輝度変化は、前記液晶材料の時定数と前記配向膜の時定数との大小関係によって決まる。
上記付記２に記載の表示装置によれば、休止期間における輝度変化は、配向膜の時定数が液晶材料の時定数よりも大きい場合には輝度が低下し、配向膜の時定数が液晶材料の時定数よりも小さい場合には輝度が上昇する。そこで、休止期間における輝度の低下または上昇を打ち消すことによってフリッカ値を小さくすることができる。
【００７２】
付記３に記載の表示装置は、付記２に記載の表示装置において、
前記駆動期間における輝度変化は、次式（Ａ）によって表されるβ値（Ａ−Ｂ）によって決まり、前記β値（Ａ−Ｂ）が正の値であるときには前記駆動期間における輝度は瞬間的に低下するように変化し、前記β値（Ａ−Ｂ）が負の値であるときには前記駆動期間における輝度は瞬間的に上昇するように変化する。
β（Ａ−Ｂ）＝｛Ｃｓｄ（Ａ）−Ｃｓｄ（Ｂ）｝／Ｃｐｉ  …（Ａ）
ここで、Ｃｐｉ：画素電極と共通電極とによって構成される液晶容量
Ｃｓｄ（Ａ）：自画素のデータ信号線とドレイン電極とによって構成される寄生容量
Ｃｓｄ（Ｂ）：隣接する画素のデータ信号線と自画素のドレイン電極とによって構成される寄生容量
上記付記３に記載の表示装置によれば、β値（Ａ−Ｂ）が正または負の値になるように、自画素の寄生容量と隣接画素の寄生容量を調整することにより、駆動期間に瞬間的な輝度低下または瞬間的な輝度上昇を生じさせる。このようにして生じた輝度低下または輝度上昇により、休止期間の輝度上昇または輝度低下を打ち消すことによってフリッカ値を小さくすることができる。
【００７３】
付記４に記載の表示装置は、付記３に記載の表示装置において、
前記配向膜の時定数が前記液晶材料の時定数よりも小さい場合には、前記休止期間における輝度は上昇する。
上記付記４に記載の表示装置によれば、配向膜の時定数が液晶材料の時定数よりも小さい場合には、休止期間における輝度は上昇するので、駆動期間において輝度が瞬間的に低下するように自画素の寄生容量と隣接画素の寄生容量を調整する。これより、休止期間において低下した輝度を打ち消すことができるので、フリッカ値を小さくすることができる。
【００７４】
付記５に記載の表示装置は、付記３に記載の表示装置において、
前記配向膜の時定数が前記液晶材料の時定数よりも大きい場合には、前記休止期間における輝度は低下する。
上記付記５に記載の表示装置によれば、配向膜の時定数が液晶材料の時定数よりも大きい場合には、休止期間における輝度は低下するので、駆動期間において輝度が瞬間的に上昇するように自画素の寄生容量と隣接画素の寄生容量を調整する。これより、休止期間において上昇した輝度を打ち消すことができるので、フリッカ値を小さくすることができる。
【００７５】
付記６に記載の表示装置は、付記４に記載の表示装置において、
前記休止期間において前記輝度が上昇する場合には、前記β値（Ａ−Ｂ）を正の値にするために、自画素の寄生容量Ｃｓｄ（Ａ）を隣接画素の寄生容量Ｃｓｄ（Ｂ）よりも大きくする。
上記付記６に記載の表示装置によれば、休止期間において輝度が上昇している場合には、自画素の寄生容量を隣接画素の寄生容量よりも大きくする。これにより、休止期間における輝度の上昇は、駆動期間における瞬間的な輝度低下によって打ち消すことができるので、フリッカ値を小さくすることができる。
【００７６】
付記７に記載の表示装置は、付記１に記載の表示装置において、
前記休止期間において前記輝度が低下する場合には、前記β値（Ａ−Ｂ）を負の値にするために、自画素の寄生容量Ｃｓｄ（Ａ）を隣接画素の寄生容量Ｃｓｄ（Ｂ）よりも小さくする。
上記付記７に記載の表示装置によれば、休止期間において輝度が低下している場合には、自画素の寄生容量を隣接画素の寄生容量よりも小さくする。これにより、休止期間における輝度の上昇は、駆動期間における瞬間的な輝度上昇によって打ち消すことができるので、フリッカ値を小さくすることができる。
【００７７】
付記８に記載の表示装置は、付記４に記載の表示装置において、
前記駆動期間における輝度変化率は、前記β値（Ａ−Ｂ）に負の定数を乗算することによって表され、前記定数は前記画素形成部の構造によって異なる値になる。
上記付記８に記載の表示装置によれば、駆動期間における輝度変化率は定数ｋに比例して変化し、しかも定数ｋは前記画素形成部の構造によって異なる値をとる。これにより、画素形成部の構造毎に駆動期間の最適な輝度変化率を求めることができる。
【００７８】
付記９に記載の表示装置は、付記４に記載の表示装置において、
前記駆動期間の輝度変化率と前記休止期間の輝度変化率との和が次式（Ｂ）を満たす範囲である。
−１．８％≦ΔＬｄｒｉｖｅ＋ΔＬｐａｕｓｅ≦＋１．８％  …（Ｂ）
ここで、ΔＬｄｒｉｖｅ：駆動期間における輝度変化率
ΔＬｐａｕｓｅ：休止期間における輝度変化率
上記付記９に記載の表示装置によれば、駆動期間の輝度変化率と休止期間の輝度変化率の和が上式（Ｂ）で規定される範囲に収まるようにすれば、低周波駆動におけるフリッカ値を略５０ｄＢ以下にすることができる。フリッカ値が５０ｄＢ以下であれば人間は目視によってフリッカを認識できないと一般的にされているので、フリッカを改善することができる。
【００７９】
付記１０に記載の表示装置は、付記９に記載の表示装置において、
前記β値（Ａ−Ｂ）が次式（Ｃ）で表されるときにフリッカ値が最小になる。
β値（Ａ−Ｂ）＝−ΔＬｐａｕｓｅ／ｋ  …（Ｃ）
上記付記１０に記載の表示装置によれば、上式（Ｃ）に基づき求めたβ値（Ａ−Ｂ）となるように、自画素の寄生容量と隣接画素の寄生容量を調整する。これにより、休止期間の輝度変化を最も効果的に打ち消すことができるので、フリッカをより改善することができる。
【符号の説明】
【００８０】
１０…液晶パネル（表示部）
２０…表示制御回路（表示制御部）
３０…走査信号線駆動回路（駆動部）
４０…データ信号線駆動回路（駆動部）
Ｃｓｄ（Ａ）…自画素の寄生容量
Ｃｓｄ（Ｂ）…隣接画素の寄生容量
Ｃｐｉ…画素容量
Ｃｐｉ…配向膜の静電容量
Ｒｐｉ…配向膜の抵抗値
Ｃｌｃ…液晶材料の静電容量
Ｒｌｃ…液晶材料の抵抗値
ＣｐｉＲｐｉ…配向膜の比例定数
ＣｌｃＲｌｃ…液晶材料の比例定数
【図１】
2019184725.tif 000003
【図２】
2019184725.tif 000004
【図３】
2019184725.tif 000005
【図４】
2019184725.tif 000006
【図５】
2019184725.tif 000007
【図６】
2019184725.tif 000008
【図７】
2019184725.tif 000009
【図８】
2019184725.tif 000010
【図９】
2019184725.tif 000011
【図１０】
2019184725.tif 000012
【図１１】
2019184725.tif 000013
【図１２】
2019184725.tif 000014
【図１３】
2019184725.tif 000015
【図１４】
2019184725.tif 000016
【図１５】
2019184725.tif 000017
【図１６】
2019184725.tif 000018
【図１７】
2019184725.tif 000019
【図１８】
2019184725.tif 000020
【図１９】
2019184725.tif 000021
【図２０】
2019184725.tif 000022
【図２１】
2019184725.tif 000023
【図２２】
2019184725.tif 000024